(57)【要約】  【課題】壁等にビス止めなどすることなく、適宜の大きさのパネル状物品を、簡便に、且、一定の角度に傾斜させて立設することができるパネル状物品の支持具を提供せんとするものである。  【解決手段】所定長さの水平フレームと、この水平フレームの一端近傍側面に対し、着脱自在に軸着される所定長さの傾斜フレームとを備え、前記水平フレームの長手方向ほぼ中央側面に、パネル状物品の下縁に固着し得る固定用台座を回転自在に枢着し、且、前記傾斜フレームの上部近傍側面に、該パネル状物品の背面に固着し得る固設部材を回転自在に枢着し、該水平フレームの一端近傍側面に形成された受け孔と該傾斜フレームの一端近傍側面に貫設された第一の留孔とを軸ピン部材で軸着自在としたことを特徴とする。  【選択図】図１
2009034460.tif 000002
【特許請求の範囲】
【請求項１】
所定長さの水平フレームと、この水平フレームの一端近傍側面に対し、着脱自在に軸着される所定長さの傾斜フレームとを備え、前記水平フレームの長手方向ほぼ中央側面に、パネル状物品の下縁に固着し得る固定用台座を回転自在に枢着し、且、前記傾斜フレームの上部近傍側面に、該パネル状物品の背面に固着し得る固設部材を回転自在に枢着し、該水平フレームの一端近傍側面に形成された受け孔と該傾斜フレームの一端近傍側面に貫設された第一の留孔とを、軸ピン部材で軸着自在としたことを特徴とするパネル状物品の支持具。
【請求項２】
傾斜フレームの長手方向ほぼ中央側面に第二の留孔を貫設し、水平フレームの受け孔と該第二の留孔とを、軸ピン部材によって軸着自在としたことを特徴とする請求項１に記載のパネル状物品の支持具。
【請求項３】
固定用台座は、パネル状物品の裏面に当接する支承部と、該パネル状物品の下縁に当接する台部とを有し、その側面形状が略Ｌ字形をなしており、該台部一側面に形成したネジ孔を介して、前記水平フレームの長手方向ほぼ中央側面に、支承部の表面と水平フレームの表面とが同一平面になると共に、台部の表面が該水平フレームの表面より若干突出するようにネジで回転自在に枢着されることを特徴とする請求項１又は２記載のパネル状物品の支持具。
【請求項４】
水平フレームの受け孔と傾斜フレームの第二の留孔とを軸ピン部材によって軸着した状態において、水平フレームと固定用台座と傾斜フレームと固設部材の全ての表面が、同一平面上に位置するように構成されていることを特徴とする請求項３記載のパネル状物品。
【請求項５】
水平フレームの受け孔と傾斜フレームの第二の留孔とを軸ピン部材によって軸着した状態で、固定用台座の支承部と台部の境界をパネル状物品の裏面下縁に当接させつつ、水平フレームの表面を該パネル状物品の裏面に当接させると共に、傾斜フレームを該パネル状物品の裏面に当接させながら、固定用台座及び固設部材をそれぞれ該パネル状物品の裏面に固着し、その後、受け孔と第二の留孔とを軸着していた軸ピン部材を取り外し、水平フレームを該パネル状物品の裏面から離間するように引き起こすと共に、傾斜フレームを該パネル状物品の裏面から離間するように引き起こし、水平フレームの受け孔と傾斜フレームの第一の留孔とを、前記軸ピン部材によって軸着することで、該パネル状物品に対して支持具を一定の傾斜角で固設し、該パネル状物品を所定の傾斜角で自立させることができるように構成されることを特徴とする請求項４記載のパネル状物品の支持具。
【請求項６】
水平フレームの受け孔と傾斜フレームの長孔の中央側端とを軸ピン部材によって軸着した状態で、固定用台座の支承部と台部の境界をパネル状物品の裏面下縁に当接させつつ、水平フレームの表面を該パネル状物品の裏面に当接させると共に、傾斜フレームを該パネル状物品の裏面に当接させながら、固定用台座及び固設部材をそれぞれ該パネル状物品の裏面に固着し、その後、受け孔と長孔とを軸着していた軸ピン部材を緩め、水平フレームを該パネル状物品の裏面から離間するように引き起こすと共に、傾斜フレームを該パネル状物品の裏面から離間するように引き起こしつつ、長孔の外側端まで移動させた後軸ピン部材を締め軸着することで、該パネル状物品に対して支持具を一定の傾斜角で固設し、該パネル状物品を所定の傾斜角で自立させることができるように構成されることを特徴とする請求項４記載のパネル状物品の支持具。
【発明の詳細な説明】
【技術分野】
【０００１】
本発明は、鏡、絵画、写真、ポスターなどの板状物やシート体を配設するためのフレームや額縁或いはボード等のパネル状物品を立設させるためのスタンドや支持具に係り、特にパネル状物品が任意のサイズであっても簡便に所定の傾斜角度で立設可能な支持具に関する。
【背景技術】
【０００２】
従来、絵画や写真などを展示する場合には、所望の絵画や写真を、パネル状物品に配設し、該パネル状物品を壁等に吊り下げるなどして展示するということがなされている。このようにパネル状物品を簡便に壁に吊り下げて展示することができるように工夫されたパネル状物品に関する従来例としては、特許文献１に開示されている額縁を挙げることができる。尚、本明細書において、パネル状物品とは、鏡、絵画、写真、ポスターなどの板状物やシート体を配設するための額縁やフレーム、枠体、パネル、ボード等を総称するものとして用いる。
【０００３】
特許文献１の額縁は、額縁の枠を構成する各辺部の額縁片の横断面形状を、二つの略Ｃ字形の囲繞形状を併合したような略角丸Ｅ字形に形成し、一方の略Ｃ字形囲繞形状部分にパネルや絵画などのシート体を嵌め込み、他方の略Ｃ字形囲繞部分に、予め壁等にネジ込んで配設したフックを引っ掛けて、壁等に直接吊設することが可能なように構成されている。
【０００４】
しかしながら、パネル状物品を、壁等にフックや釘等を取り付けて吊設する場合には、該パネル状物品が大きく重い場合には、フックや釘に掛かる負荷が大きくなり、長期使用に耐えないおそれがある上、壁等にネジ孔や釘孔等によるキズができてしまうという問題があった。
【０００５】
他方、一般に、絵を描くときには、キャンバスや画板を立て掛けるための台、所謂画架が使用される。大きな絵を描くのに適した画架には、種々のタイプのものがあるが、基本的には、水平方向に延びた基台に、互いに一定の間隔を存してほぼ垂直に立設した二本の支柱を立設し、且、基台と支柱間に傾斜フレームを配して補強し、更に、前記基台と平行するキャンバスを固定するための固定フレーム並びに受台を有する構成となっている。
【０００６】
かかる構成の画架は、元々絵画を展示するためのものではなく、絵を描くためのものであり、展示用には見栄えも悪く不向きであった。また、比較的大きな絵を描く際には、一般的な画架ではキャンパスを上手く固定できないという問題もあったが、比較的大きなキャンバスであってもしっかりと固定できる画架が特許文献２に開示されている。この特許文献２の絵画用イーゼルによれば、比較的大きな絵画であってもしっかりと固定でき、その上、見栄え良く絵画を展示することも可能である。しかしながら、特許文献２の画架でも、支柱の高さによる制限がある上、その幅が一定であり、載置固定可能なサイズは限定されたものとなってしまっていた。
【特許文献１】特開平８−１４０８００号公報
【特許文献２】特開２００４−８１７４１号公報
【発明の開示】
【発明が解決しようとする課題】
【０００７】
本発明は、上記問題点に鑑みてなされたものであり、壁等にビス止めすることなく、適宜の大きさのパネル状物品を、所望の角度に傾斜させつつ、且、簡便に立設させることが可能なパネル状物品の支持具を提供せんとするものである。
【課題を解決するための手段】
【０００８】
上記課題を解決するためにこの発明が採った手段は、所定長さの水平フレームと、この水平フレームの一端近傍側面に対し、着脱自在に軸着される所定長さの傾斜フレームとを備え、前記水平フレームの長手方向ほぼ中央側面に、パネル状物品の下縁に固着し得る固定用台座を回転自在に枢着し、且、前記傾斜フレームの上部近傍側面に、該パネル状物品の背面に固着し得る固設部材を回転自在に枢着し、該水平フレームの一端近傍側面に形成された受け孔と該傾斜フレームの一端近傍側面に貫設された第一の留孔とを軸ピン部材で軸着自在としたことを特徴とする。
【０００９】
又、傾斜フレームの長手方向ほぼ中央側面に第二の留孔を貫設し、水平フレームの受け孔と該第二の留孔とを、軸ピン部材によって軸着自在としたことを特徴とする。
【００１０】
又、固定用台座は、パネル状物品の裏面に当接する支承部と、該パネル状物品の下縁に当接する段部とを有し、その側面形状が略Ｌ字形をなしており、台部一側面に形成したネジ孔を介して、前記水平フレームの長手方向ほぼ中央側面に、支承部の表面と水平フレームの表面とが同一平面になると共に段部の表面が、該水平フレームの表面より若干突出するようにネジで回転自在に枢着されることを特徴とする。
【００１１】
又、水平フレームの受け孔と傾斜フレームの第二の留孔とを軸ピン部材によって軸着した状態において、水平フレームと固定用台座と傾斜フレームと固設部材の全ての表面が、同一平面上に位置するように構成されていることを特徴とする。
【００１２】
又、水平フレームの受け孔と傾斜フレームの第二の留孔とを軸ピン部材によって軸着した状態で、固定用台座の支承部と台部の境界をパネル状物品の裏面下縁に当接させつつ、水平フレームの表面を該パネル状物品の裏面に当接させると共に、傾斜フレームを該パネル状物品の裏面に当接させながら、固定用台座及び固設部材をそれぞれ該パネル状物品の裏面に固着し、その後、受け孔と第二の留孔とを軸着していた軸ピン部材を取り外し、水平フレームを該パネル状物品の裏面から離間するように引き起こすと共に、傾斜フレームを該パネル状物品の裏面から離間するように引き起こし、水平フレームの受け孔と傾斜フレームの第一の留孔とを、前記軸ピン部材によって軸着することで、該パネル状物品に対して支持具を一定の傾斜角で固設し、該パネル状物品を所定の傾斜角で自立させることができるように構成されることを特徴とする。
【００１３】
又、水平フレームの受け孔と傾斜フレームの長孔の中央側端とを軸ピン部材によって軸着した状態で、固定用台座の支承部と台部の境界をパネル状物品の裏面下縁に当接させつつ、水平フレームの表面を該パネル状物品の裏面に当接させると共に、傾斜フレームを該パネル状物品の裏面に当接させながら、固定用台座及び固設部材をそれぞれ該パネル状物品の裏面に固着し、その後、受け孔と長孔とを軸着していた軸ピン部材を緩め、水平フレームを該パネル状物品の裏面から離間するように引き起こすと共に、傾斜フレームを該パネル状物品の裏面から離間するように引き起こしつつ、長孔の外側端まで移動させた後軸ピン部材を締め軸着することで、該パネル状物品に対して支持具を一定の傾斜角で固設し、該パネル状物品を所定の傾斜角で自立させることができるように構成されることを特徴とする。
【発明の効果】
【００１４】
本発明は、独立した支持具であり、支持対象であるパネル状物品の裏面下部に、少なくとも二つの支持具を間隔を存して固設することによって、該パネル状物品を壁等にビス止めせずに、所望の角度に傾斜させつつ、且、簡便に立設することが可能となるという効果を奏する。
【００１５】
また、傾斜フレームにはその一端近傍側面に第一の留孔を、長手方向の中央近傍側面に第二の留孔をそれぞれ貫設し、初期段階すなわちパネル状物品への取付け段階においては、該第二の留孔と前記受け孔とを軸ピン部材で軸着して、水平フレームに枢着した固定用台座から傾斜フレームに枢着した固設部材までの距離を規定し、該初期段階の支持具をパネル状物品の裏面の所望の位置に、固定用台座と固設部材とを介して固設した後、前記軸ピン部材を取り外し、受け孔と第二の留孔とを該軸ピン部材で軸着することによって、パネル状物品のサイズに関係なく、水平フレームに対して一定の角度に固定することができるため、特別な設置器具や角度計測などを用いずに傾斜させつつ立設することができるという効果を奏する。
【発明を実施するための最良の形態】
【００１６】
本発明の実施の形態を、以下に図面を参照しながら詳細に説明する。支持具は、図１に示すように、パネル状物品(Ｐ)の裏面下部に間隔を存して取り付けられる一対の支持具(1R)(1L)から構成される。これら一対の支持具(1R)(1L)は、各々が鏡映対称の構造を有するのが好ましいが、必ずしも鏡映対称である必要はなく、同一の支持具であってもよい。又、三つ以上の支持具を用いてもよいことは言うまでもない。尚、以下の説明では、鏡映対称の支持具を採用した際の裏面右側に取り付けられている支持具(1R)を例にその構造を説明する。
【００１７】
支持具(1R)は、図２に示すようにパネル状物品(Ｐ)下部に位置する長尺状で剛性を有する角材からなる水平フレーム(２)と、該水平フレーム(２)の長手方向ほぼ中央側面に回転自在に枢着した固定用台座(３)と、該水平フレーム(２)の一端近傍側面に形成された受け孔(８)に、軸ピン部材(６)を介して一端近傍を軸着された傾斜フレーム(４)と、該傾斜フレーム(４)の他端近傍側面に回転自在に枢着した固設部材(５)とから構成される。尚、水平フレームの裏面両側近傍には滑り止め(７)が配設されている。本明細書では、水平フレーム(２)、傾斜フレーム(４)、固定用台座(３)、固設部材(５)の面呼称を明確にするために、使用状態（図２参照）を基準にして、パネル状物品(Ｐ)に接する側を表面、これに対向する側を裏面、直交する側を側面と称する。
【００１８】
固定用台座(３)の表面側は、支承部(3V)と台部(3H)の二つの平行面から形成され、側面形状が略Ｌ字形をなしている。該支承部(3V)の奥行き、即ち表裏間の長さは、水平フレーム(２)の表裏間の長さと同等になっており、且、側面の高さは、水平フレームの側面の高さよりも高くなるように形成されている。該固定用台座は(３)は、台部(3H)一側面に形成したネジ孔を介して、前記水平フレーム(２)の長手方向ほぼ中央側面に、支承部(3V)の表面と水平フレーム(２)の表面とが同一平面になると共に段部(3H)の表面が、該水平フレーム(２)表面より若干突出するようにネジ(９)で回転自在に枢着される。支承部(3V)には表裏面を貫通するビス止め孔(10a)(10b)が貫設され、図３に示すように、パネル状物品(Ｐ)に対してビス(11)で固着することができるようになっている。
【００１９】
傾斜フレーム(４)は、水平フレーム(２)の１.５倍程度の長さの長尺状の剛性を有する角材からなり、その横断面形状は水平フレーム(２)の横断面形状と同一に設定される。傾斜フレーム(４)の一端近傍側面には、両側面を貫通する第一の留孔(12)が貫設され、軸ピン部材(６)によって該第一の留孔(12)と水平フレーム(２)に形成された受け孔(８)とを着脱可能に軸着し得るように構成される。又、傾斜フレーム(４)の長手方向ほぼ中央側面には、両側面を貫通する第二の留孔(13)が貫設され、軸ピン部材(６)によって該第二の留孔(13)と水平フレーム(２)の受け孔(８)とが着脱可能に軸着し得るように構成されている。
【００２０】
この傾斜フレーム(４)の他端近傍側面には、固設部材(５)がネジ(14)によって回転自在に枢着される。又、傾斜フレーム(４)の固設部材枢着側端部は、円弧面状に形成されており、パネル状物品(Ｐ)に固着した後、裏面に対し傾斜フレーム(４)を如何なる角度に回転させても、裏面に接する事がないように構成される。尚、傾斜フレーム(４)の第一の留孔側下端部は、該傾斜フレーム(４)の長手方向に対する垂直方向から若干傾斜して形成されている。
【００２１】
前記固設部材(５)は、前記固定用台座(３)と同程度の大きさの剛性を有する角材からなり、その横断面形状は水平フレーム(２)の横断面形状と同一に設定される。該固設部材(５)は、一側面に形成したネジ孔を介して、前記傾斜フレーム(４)の上端近傍側面に、固設部材(５)の表面と傾斜フレーム(４)の表面とが同一平面になるようにネジ(14)で回転自在に枢着される。該固設部材(５)には表裏を貫通するビス止め孔(15a)(15b)が貫設され、図３に示すように、パネル状物品(Ｐ)に対してビス(16)で固着することができるように構成される。
【００２２】
軸ピン部材(６)は、傾斜フレーム(４)に貫設された第一の留孔(12)若しくは第二の留孔(13)の深さ、すなわち、傾斜フレーム(４)の側面間の長さの１.５倍程度の長さからなるネジ部(6B)と該ネジ部(6B)の一端に固設された円柱状の把手(6G)から構成される。軸ピン部材(６)の使用時には、ネジ部(6B)にワッシャ(6W)を挿通し、傾斜フレーム(４)と把手(6G)との間に該ワッシャ(6W)を介在させる（図５参照）。尚、水平フレーム(２)、固定用台座(３)、傾斜フレーム(４)並びに固定部材(５)は、剛性の材料であれば特に限定されるものではなく、金属、木材等の種々の素材から選択可能である。
【００２３】
以上のように構成される支持具(1R)を、その支持対象であるパネル状物品(Ｐ)に取り付けるには、まず、図４及び図５に示すように、初期状態に予め組み立てる。すなわち、固定用台座(３)、水平フレーム(２)、傾斜フレーム(４)、固設部材(５)の順に、且、水平フレーム(２)の受け孔(８)と傾斜フレーム(４)の第二の留孔(13)とを軸ピン部材(６)によって軸着する。尚、水平フレーム(２)の表面、固定用台座(３)の支承部(3V)の表面、傾斜フレーム(４)の表面、固設部材(５)の表面が全て同一平面となるようにする。
【００２４】
次に図６(Ａ)及び図６(Ｂ)に示すように、該支持具(1R)を、水平フレーム(２)の表面を該パネル状物品(Ｐ)の裏面に当接させつつ、固定用台座(３)の支承部(3V)と台部(3H)の境界が該パネル状物品(Ｐ)の下縁に掛かるように、全体をパネル状物品(Ｐ)の裏面に当接させる。
【００２５】
そして、図７(Ａ)に示すように、固定用台座(３)に貫設された二つのビス止め孔(10a)(10b)と、固設部材(５)に貫設された二つのビス止め孔(15a)(15b)それぞれにビス(11)(16)を挿通して、固定用台座(３)及び固設部材(５)をパネル状物品(Ｐ)に固着する。その後、図７(Ｂ)に示すように、受け孔(８)と第二の留孔(13)とを軸着していた軸ピン部材(６)を取り外し、水平フレーム(２)をパネル状物品(Ｐ)の裏面から離間するように引き起こすと共に、傾斜フレーム(４)をパネル状物品(Ｐ)の裏面に対し傾斜するように引き起こす。更に、図７(Ｃ)に示すように、引き起こされた水平フレーム(２)の受け孔(８)と傾斜フレーム(４)の第一の留孔(12)とを、軸ピン部材(６)によって軸着することでパネル状物品(Ｐ)に対し支持具(1R)を固設する。この時、傾斜フレーム(４)がパネル状物品(Ｐ)に対して傾斜しているため、必然的に軸着された水平フレーム(２)はパネルに対し角度を有することとなり、これにより、パネル状物品(Ｐ)を裏面側へ傾斜させて自立させることができる。
【００２６】
支持具(1R)のパネル状物品(Ｐ)に対する取付方法は、上記説明の方法に限定されるものではなく、図８に示すように、固設部材(５)を固着させた後、固定用台座(３)を固着するようにしてもよい。すなわち、図８(Ａ)に示すように、初期状態の支持具をパネル状物品(Ｐ)裏面の任意の位置に当接させた後、固設部材(５)のみをビス(16)で固着する。次に、図８(Ｂ)に示すように、傾斜フレーム(４)を１８０度反転させ、水平フレーム(２)をパネル状物品(Ｐ)に対してほぼ垂直になるように位置させる。更に図８(Ｃ)に示すように、傾斜フレーム(４)をパネル状物品(Ｐ)の裏面から離間させ、水平フレーム(２)に枢着した固定用台座(３)をパネル状物品(Ｐ)の下縁を当接させた後、ビス(11)で固着する。これにより、固設部材(５)の固着位置（パネル状物品の下端からの位置）、によって傾斜フレーム(４)の傾斜角度を調整することが可能となり、ひいては、パネル状物品(Ｐ)の傾斜角度を調整することができるものである。
【００２７】
図９は一変形例を示すものである。水平フレーム(２)の構造は前述の実施例と同一のものであるが、固定用台座(３')、固設部材(５')及び傾斜フレーム(４')の構造を異にするものである。尚、各部材の作用並びに使用方法は基本的に同じである。固定用台座(３')は、鋼板を略Ｌ字状に折曲し、且、その一片端を更に折曲した形状をなしたものとし、ビス止め孔(10a)(10b)を貫設した支承部(3V)及びこれに直交する台部(3H)を形成している。更に他片には水平フレームとネジ止め可能な受け孔(31)が貫設されている。固設部材(５')は、鋼板を略Ｌ字状に折曲し、一片に傾斜フレーム(４')とネジ止め可能な受け孔(51)を貫設し、他片にはパネル状物品(Ｐ)に固設するためのビス止め孔(15a)(15b)が形成されている。傾斜フレーム(４')には、前述の第一の止め孔(12)、第二の止め孔(13)を一連にした長さを有する長孔(41)が形成されている。固定用台座と固設用部材を鋼板の折曲加工品とすることと、長孔(41)にすることとは、別個にそれぞれ独立した構造とし得るものである。
【００２８】
次に使用方法について説明する。前述の実施例と同様に、まず、初期状態に予め組み立てる。すなわち、固定用台座(３')、水平フレーム(２)、傾斜フレーム(４')、固設部材(５')の順に、且、水平フレーム(２)の受け孔(８)と傾斜フレーム(４')の長孔(41)の中央側端(41a)とを軸ピン部材(６)によって軸着する。尚、このとき、水平フレーム(２)の表面、固定用台座(３')の支承部(3V)の表面、傾斜フレーム(４')の表面、固設部材(５')の表面が全て同一平面となるようにする。この後、固定用台座(３')、固設部材(５')をネジ(11)(16)でパネル状物品(Ｐ)に固設する。固定用台座(３')のパネル状物品(Ｐ)への固設は、前述同様に、支承部(3V)と台部(3H)の境界が該パネル状物品(Ｐ)の下縁に掛かるように、全体をパネル状物品(Ｐ)の裏面に当接させる。
【００２９】
次いで、受け孔(８)と長孔(41)とを軸着していた軸ピン部材(６)を緩め、長孔(41)に沿って外側端(41b)へスライドさせつつ、水平フレーム(２)をパネル状物品(Ｐ)の裏面から離間するように引き起こすと共に、傾斜フレーム(４)をパネル状物品(Ｐ)の裏面に対し傾斜するように引き起こしつつ、軸ピン部材(６)を長孔(41)の外側端(41b)まで移動さた後再度締めて軸着し、パネル状物品(Ｐ)に対し支持具(1R)を固設する。これにより、パネル状物品(Ｐ)を傾斜させて自立させることが出来る。尚、軸ピン部材(６)を、長孔の中央側端(41a)、外側端(41b)の間の任意の位置で締めることで、傾斜フレーム(４')のパネル状物品(Ｐ)に対する傾斜角を調整することが出来、結果パネル状物品(Ｐ)の自立角を調整することが出来る。尚、本実施例で用いた固定用台座(３')、固設部材(５')及び長孔(41)を有する傾斜フレーム(４')は、前述の実施例にそれぞれ別個に組み合わせて使用することもできることはいうまでもない。
【図面の簡単な説明】
【００３０】
【図１】本実施態様のパネル状物品の支持具の使用状態を示す斜視図
【図２】同パネル状物品の裏面側における右下部に取り付けられた支持具の拡大斜視図
【図３】同支持具のビス止めの様子を示す部分透視側面図
【図４】同支持具の一初期状態を示す斜視図
【図５】同支持具の一初期状態を示す分解斜視図
【図６】（Ａ）同支持具の取付方法をパネル状物品の裏面側から見た平面図、（Ｂ）同平面図の部分断面図であって、支持具の構成部品同士の軸着構成を示す図
【図７】（Ａ）同支持具の取付初期状態を示す図、（Ｂ）同支持具の取付途中状態を示す図、（Ｃ）同支持具の取付完了状態を示す図
【図８】（Ａ）別の取付手順の初期状態を示す図、（Ｂ）同取付手順の途中状態を示す図、（Ｃ）同取付手順の完了状態を示す図
【図９】一変形例を示す図。
【符号の説明】
【００３１】
1R  支持具
1L  支持具
２  水平フレーム
３  固定用台座
３'  固定用台座
31   受け孔
3V  支承部
3H  台部
４  傾斜フレーム
４'  傾斜フレーム
41   長孔
41a  中央側端
41b  外側端
５  固設部材
５'  固設部材
51   受け孔
６  軸ピン部材
6B  螺旋部
6G  把手
6W  ワッシャ
７  滑り止め
８  受け孔
９  ネジ
10a  ビス止め孔
10b  ビス止め孔
１１  ビス
１２  第一の留孔
１３  第二の留孔
１４  ネジ
15a  ビス止め孔
15b  ビス止め孔
１６  ビス
Ｐ  パネル状物品
【図１】
2009034460.tif 000003
【図２】
2009034460.tif 000004
【図３】
2009034460.tif 000005
【図４】
2009034460.tif 000006
【図５】
2009034460.tif 000007
【図６】
2009034460.tif 000008
【図７】
2009034460.tif 000009
【図８】
2009034460.tif 000010
【図９】
2009034460.tif 000011